(57)【特許請求の範囲】
【請求項１】
本体と、この本体背面側に配設された熱交換器と、この熱交換器と対向して配設されたプロペラファンと、前記本体の前面を形成する前面パネルと、この前面パネルに連接して設けられ、前記プロペラファンを囲むベルマウスとを備え、前記前面パネルは前記ベルマウスを囲む形で、前記本体内側に延設された案内壁を有すると共に、前記ベルマウスの吹き出し側開口部が前記本体前面より内側に位置し、プロペラファンの回転軸を含む平面に前記プロペラファンの翼弦線中心線を回転投影してできる直線と、前記プロペラファンの回転軸と直交する直線との成す角度を前記プロペラファンの前傾角δとした場合、前記ベルマウスの吹き出し側開口部の前縁と前面パネルの前縁とを結ぶ直線と前記プロペラファンの回転軸との成す角度は、δ＋２０゜より大きく、６０゜より小さいことを特徴とする空気調和機の室外機。
【請求項２】
本体と、
この本体背面側に配設された熱交換器と、
この熱交換器と対向して配設されたプロペラファンと、
このプロペラファンを囲むように設けられ、該プロペラファンの外周に形成されたリング部と、室外機前面より奥まった位置にある吹き出し側開口端と、吸い込み側に拡開する吸い込み側開口部とを有するベルマウスと、
室外機の前面外郭を形成し、前記ベルマウスの吸い込み側開口部に連なり、室外機前面より奥まった位置にある平面部と、この平面部に連なり室外機前面より内側に形成された、前記プロペラファンからの送風の案内して室外機前方へ排出する案内壁とを有する前面パネルと、
を備え、プロペラファンの回転軸を含む平面に前記プロペラファンの翼弦線中心線を回転投影してできる直線と、前記プロペラファンの回転軸と直交する直線との成す角度を前記プロペラファンの前傾角δとした場合、前記ベルマウスの吹き出し側開口端の前縁と前面パネルの前縁とを結ぶ直線と前記プロペラファンの回転軸との成す角度は、δ＋２０゜より大きく、６０゜より小さいことを特徴とする空気調和機の室外機。
【請求項３】
前面パネルの下部案内壁は、本体奥側より前面側へ傾斜していることを特徴とする請求項１又は請求項２記載の空気調和機の室外機。
【請求項４】
プロペラファンを駆動する電動機の取り付け用部材を前面パネルに固定したことを特徴とする請求項１又は請求項２記載の空気調和機の室外機。
【請求項５】
プロペラファンに人間の手等が接触するのを防止するファンガードを、上部は差し込み、下部は固定で前面パネルに取り付けたことを特徴とする請求項１又は請求項２記載の空気調和機の室外機。
【請求項６】
ベルマウスの外周と前面パネルの案内壁との間に、放射状に補強リブを設けたことを特徴とする請求項１又は請求項２記載の空気調和機の室外機。
【請求項７】
複数のプロペラファンを有するものにあっては、同一仕様の前面パネルを重合してなることを特徴とする請求項１又は請求項２記載の空気調和機の室外機。
【請求項８】
ベルマウスの外周と前面パネルの案内壁等で形成される空間に電気部品等を収納したことを特徴とする請求項１又は請求項２記載の空気調和機の室外機。
【発明の詳細な説明】
【０００１】
【発明の属する技術分野】
この発明は、空気調和機の室外機に関するものである。
【０００２】
【従来の技術】
図１９は、従来の一般的な室外機の概略構成を示した構成図である。図において、１はプロペラファン、２はプロペラファン１の周囲を囲む位置に、プロペラファン１と同心円状に配設されたベルマウス、３はベルマウス２の吹き出し側開口部と連設し、室外機の前面外郭を形成する前面パネル、９は前面パネル３に連なり室外機の外郭側面を形成する側面パネル、１３はプロペラファン１に指等が触れることを防止するファンガード、１１はプロペラファン１を回転駆動するモータ、１０は室外機背面にＬ字状に配設された熱交換器、１４は圧縮機等を配設する機械室、１２は該機械室１４の仕切り板である。
【０００３】
図２０は、前記従来例の吹き出し部の拡大図である。図において、２ａはプロペラファン１の外周に円筒状に配設されたベルマウス２のリング部、２ｂは該リング部２ａに連設され、室外機奥側に向かって拡開する吸い込み側開口部、２ｃは前記リング部２ａに連設され、室外機前方に向かって拡開し、前面パネル３と連設する吹き出し側開口部を示す。また、９は室外機の側面外郭を構成する側面パネルで、本従来例では前面パネルと一体となっている。
【０００４】
また、図２１は、特開平６−１３７６０８号公報に開示されているベルマウス構造の拡大図である。この構成では、ベルマウスは、リング部２ａと、このリング部２ａに連設され、断面略半円状をなす吸い込み側開口部２ｂからなり、開口部２ｂの内側から室外機前方に向かって一体に連設された円筒部２ｅと、この円筒部２ｅに接合されて次第に拡開する湾曲部３ａを有する前面パネル３によって構成されている。
【０００５】
プロペラファンは、一般的に、熱交換器等の通風抵抗が大きくなると、吹き出し風が外側に拡散する特性を有しているが、図２０の構成では、吹き出し側開口部２ｃの前縁に前面パネル３の平面部が連設しており、拡散した吹き出し風を妨げるものはファンガードのみであり、拡散して吹き出した風は、図に示したＡのように室外機の外郭に沿って流れる構成となっている。また、図２１の構成では、円筒部２ｅに連接した湾曲部３ａは、外側に拡散した吹き出し風を妨げない位置にあって、吹き出し風は前記と同様、室外機の外郭に沿って図に示したＡのように流れる構成となっている。
【０００６】
【発明が解決しようとする課題】
従来の空気調和機の室外機は、以上のように吹き出し風をなるべく妨げないように構成されていたため、吹き出し側の通風抵抗が小さく、ある程度の低騒音化を実現していた。しかしながら、設置条件の変化等によって、吸い込み側の通風抵抗が大きくなった場合には、吹き出し風はさらに外側に拡散し、図２０、図２１に示すように、室外機前面パネル３の表面に沿って流れ、室外機の側面および上下面に回りこみ、そのまま再度吸い込まれる。いわゆるショートサーキットを起こしやすい欠点があった。特に室外機を複数台横に並べるような設置条件では、隣接する室外機の吹き出し風を吸い込むため、この現象は、より顕著であった。
【０００７】
この発明は、上記のような問題点を解消するためになされたもので、ベルマウスおよび前面パネルの構造を改良することにより、設置条件によって通風抵抗が大きくなっても、ショートサーキットが起こりにくく、通常の使用条件では、送風音の小さい室外機を提供するものである。
また、上記の目的を達成するための構造について、パネルを汚れにくくし、また、室外機の組立性を向上させ、また、部品の共通化を図り、また、室外機内のスペースの有効利用を図るものである。
【０００８】
【課題を解決するための手段】
この発明に係る空気調和機の室外機は、本体と、この本体背面側に配設された熱交換器と、この熱交換器と対向して配設されたプロペラファンと、本体の前面を形成する前面パネルと、この前面パネルに連接して設けられ、プロペラファンを囲むベルマウスとを備え、前面パネルは前記ベルマウスを囲む形で、本体内側に延設された案内壁を有すると共に、ベルマウスの吹き出し側開口部が本体前面より内側に位置し、プロペラファンの回転軸を含む平面にプロペラファンの翼弦線中心線を回転投影してできる直線と、プロペラファンの回転軸と直交する直線との成す角度をプロペラファンの前傾角δとした場合、ベルマウスの吹き出し側開口部の前縁と前面パネルの前縁とを結ぶ直線とプロペラファンの回転軸との成す角度は、δ＋２０゜より大きく、６０゜より小さいことを特徴とする。
【００１０】
この発明に係る空気調和機の室外機は、本体と、この本体背面側に配設された熱交換器と、この熱交換器と対向して配設されたプロペラファンと、このプロペラファンを囲むように設けられ、プロペラファンの外周に形成されたリング部と、室外機前面より奥まった位置にある吹き出し側開口端と、吸い込み側に拡開する吸い込み側開口部とを有するベルマウスと、室外機の前面外郭を形成し、ベルマウスの吸い込み側開口部に連なり、室外機前面より奥まった位置にある平面部と、この平面部に連なり室外機前面より内側に形成された、プロペラファンからの送風の案内して室外機前方へ排出する案内壁とを有する前面パネルとを備え、プロペラファンの回転軸を含む平面にプロペラファンの翼弦線中心線を回転投影してできる直線と、プロペラファンの回転軸と直交する直線との成す角度を前記プロペラファンの前傾角δとした場合、ベルマウスの吹き出し側開口端の前縁と前面パネルの前縁とを結ぶ直線とプロペラファンの回転軸との成す角度は、δ＋２０゜より大きく、６０゜より小さいことを特徴とする。
【００１１】
また、この発明に係る空気調和機の室外機は、前面パネルの下部案内壁は、本体奥側より前面側へ傾斜していることを特徴とする。
【００１２】
また、この発明に係る空気調和機の室外機は、プロペラファンを駆動する電動機の取り付け用部材を前面パネルに固定したことを特徴とするプロペラファンを駆動する電動機の取り付け用部材を前面パネルに固定したことを特徴とする。
【００１３】
また、この発明に係る空気調和機の室外機は、プロペラファンに人間の手等が接触するのを防止するファンガードを、上部は差し込み、下部は固定で前面パネルに取り付けたことを特徴とする。
【００１４】
また、この発明に係る空気調和機の室外機は、ベルマウスの外周と前面パネルの案内壁との間に、放射状に補強リブを設けたことを特徴とする。
【００１５】
また、この発明に係る空気調和機の室外機は、複数のプロペラファンを有するものにあっては、同一仕様の前面パネルを重合してなることを特徴とする。
【００１６】
また、この発明に係る空気調和機の室外機は、ベルマウスの外周と前面パネルの案内壁等で形成される空間に電気部品等を収納したことを特徴とする。
【００１７】
【発明の実施の形態】
実施の形態１．
以下、この発明の実施の形態１を図について説明する。図１はこの発明の実施の形態１による空気調和機の室外機の概略構成図、図２は同ベルマウス及び前面パネルの形状を示した斜視図である。図において、１はプロペラファン、２はプロペラファン１と同心円状に配設されたベルマウスで、ベルマウス２はプロペラファン１の外周に円筒状に形成されたリング部２ａと、吸い込み側に拡開する吸い込み側開口部２ｂとで形成される。３はベルマウス２の吹き出し側開口部と連なり、室外機の前面外郭を形成する前面パネルで、前面パネル３の平面部３ａはベルマウス２の吸い込み側開口部２ｂに連なる。前面パネル３の平面部３ａは室外機前面Ｂより奥まった位置にあり、案内壁である側板４，５、上板６、下板７に連なり、これらは前面パネル３を室外機に固定するためのフランジ８に連なる。ベルマウス２のリング部２ａの吹き出し側開口端２ｄは室外機前面Ｂより奥まった位置にある。９は前面パネル３に連なり室外機の外郭側面を形成する側面パネル、１３はプロペラファン１に指等が触れることを防止するファンガード、１１はプロペラファン１を回転駆動するモータ、１０は室外機背面にＬ字状に配設された熱交換器、１４は圧縮機等を配設する機械室、１２は該機械室１４の仕切り板である。
【００１８】
図３は、ベルマウス部の拡大図であり、Ｃ，Ｄは吹き出し風の流れを模式的に示したものである。通風抵抗の小さい時は、吹き出し風の拡散は小さく、図３に示す破線Ｄの様であるが、設置条件等によって通風抵抗が増加すると、風の拡散は大きくなり、図３に示す実線Ｃのようになる。
【００１９】
通風抵抗が大きく、風が拡散してＣの方向に吹き出された風は、側板４，５および上板６、下板７に当たり、室外機前方へ排出されるため、室外機の側面や上下面に回りこむことなく、熱交換後の吹き出し風を再度吸い込むショートサーキットを防止することができる。また、この構成では、吸い込み側の内面が平坦になるため、吸い込み風がスムーズに流れ、騒音が低減できる効果がある。
【００２０】
実施の形態２．
図４は、この発明の実施の形態２による空気調和機の室外機の概略構成図である。前記実施の形態１と同様、ベルマウス２のリング部２ａと、吹き出し側開口部２ｃは室外機前面Ｂより奥まった位置にあって、吹き出し側開口部２ｃは前面パネル３の平面部３ａに連接している。前面パネル３は側板４，５、上板６、下板７に連接されており、前記と同様略箱状を形成している。このような構成であっても、吹き出し風に対する作用は前記実施の形態１と同等であり、ショートサーキットを防止できる効果は同様である。
【００２１】
実施の形態３．
また、前記実施の形態では、前面パネル３は四角の箱状に形成したものについて説明したが、これは、ベルマウス２の吹き出し風が室外機の側面や上下面に回り込むのを防ぐ形状であれば良く、図５のような円形でも、その他の形状でも良い。また、前記実施の形態では前面パネル３と側面パネル９を別部品としているが、一体で形成しても良い。
【００２２】
実施の形態４．
前記実施の形態１〜３で説明した構成によれば、ショートサーキットの防止には役立つが、ベルマウス２と側板の位置関係によっては、吹き出し側の通気抵抗が増加し、騒音が増大する恐れがあり、最適な位置関係が存在する。
【００２３】
図６はこの発明の実施の形態４による空気調和機の室外機の概略構成図である。図において、１ｃはプロペラファン１の回転中心線であり、δは後に説明するファンの前傾角である。また、αはベルマウス２のリング部２ａの前縁２ｄと、側板４の前縁とを結ぶ直線と、前記回転中心線１ｃとのなす角度で、本実施の形態ではαは、ファンの前傾角δ＋３０゜に設定している。また、図中のθは吹き出し風の広がりを示す吹き出し角度である。
【００２４】
図７はプロペラファン１の前傾角の説明図である。図７において、１ａはファンのボス、１ｂは羽根、１ｃは回転中心線である。また、１ｅは、回転中心１ｃを中心とする半径ｒの円筒で羽根１ｂを切断した時の断面図における翼弦線であり、１ｆは該翼弦線１ｅの中心点である。１ｄは前記翼弦線中心点１ｆを、ボス１ａ外周から羽根外周まで連続的につないだ翼弦線中心線を、回転中心線１ｃを含む平面上に回転投影した直線であり、同平面上にあって回転中心線１ｃと直交する直線１ｇとのなす角度δをプロペラファンの前傾角と称する。
【００２５】
図８は一般的なプロペラファンの吹き出し角度θを、通気抵抗を変化させて測定したものである。プロペラファンの吹き出し角度は通気抵抗が小さいとファンの前傾角δに近づき、通気抵抗が大きいと９０゜に近づく傾向がある。通常の設置条件では、θはδ＋１０゜からδ＋１５゜程度である。
【００２６】
図９は、前記図７の構成において、αを変化させ、通常の設置条件での送風音を測定したものである。図で明らかなように、αがファンの前傾角δに近づく程騒音の増加が見られるが、δ＋２０゜以上では低騒音である。
【００２７】
また、図１０は同様にして、通気抵抗が大きく、ショートサーキットを起こしやすいある設置条件にて、ｘ＝（吸い込み温度−外気温度）／（吹き出し温度−外気温度）で定義されるショートサーキット率を、実験的に求めたものである。図によれば、αが６０゜を越えるとショートサーキット率ｘが急激に上昇する。
【００２８】
以上の結果より、前記αをδ＋２０゜より大きく、６０゜より小さくすれば、通常の設置条件では騒音が小さく、ショートサーキットが起こり易い条件下ではショートサーキットを防止することができる最適の構造を得ることができる。
【００２９】
実施の形態５．
図１１は、この発明の実施の形態５による空気調和機の室外機の概略構成図である。図において、１６は室外機の底板、１７は天板、１５はファンモータ１１を固定支持する支持部材である。前面パネル３は前記と同様略箱状に形成されており、該箱状の前面パネル３の下板７は、室外機奥側より室外機前側が徐々に低くなるように形成されている。
【００３０】
このような構成としたので、前面パネル３の下板７の上には、水や埃等がたまりにくく、室外機の美観を損なうことが少なくなる。
【００３１】
実施の形態６．
図１２は、この発明の実施の形態６による空気調和機の室外機の概略構成図であり、図１３はその部分拡大斜視図である。図において、１５ａはモータの支持部材１５の下側の固定部、１５ｂは同部材１５の上側固定部を示す。１５ｃは該上側固定部１５ｂの一部に設けられた穴、また、１８は前面パネルの上板６に設けられた突起である。モータ１１の支持部材１５は、下部１５ａを底板１６にボルト等で固定され、上部１５ｂは、前面パネル上板６の一部に設けられた突起１８に、モータの支持部材に設けられた穴１５ｃをはめ込むことによって掛止され、さらに強固に固定するためにボルト１９で締結されている。
【００３２】
このような構成としたので、室外機組立時に前面パネル３とモータの支持部材１５を手等で支える必要が無く、組立が容易にできるとともに、ベルマウス２とファン１の軸芯のずれが小さくできる効果がある。
【００３３】
また、ここでは、モータの支持部材１５の下部１５ａは、室外機の底板１６に固定する方法を説明したが、モータの支持部材は、上下とも同様に前面パネルに固定しても良い。
【００３４】
実施の形態７．
図１４は、この発明の実施の形態７による空気調和機の室外機の概略構造図であり、図１５はその部分拡大図である。図において、２０はファンガード１３の上側を固定するための固定板であって、２１は同下側の固定板である。上側固定板２０の上部の位置には、舌部２０ａが複数設けてある。また、２２は前面パネルの上板６の前記舌部２０ａに対応する位置に設けた穴である。室外機を組み立てる際には前記穴２２に、下方向から舌部２０ａを差し込み、その後下側固定板２１に設けた穴と、前面パネルフランジ部８の穴をボルトにて固定する構造となっている。
【００３５】
このような構成としたため、ファンガード１３の固定が非常に容易に行え、ファン１やファンモータ１１の交換作業も容易にできる効果がある。
【００３６】
実施の形態８．
図１６（ａ）は、この発明の実施の形態８による空気調和機の室外機の箱状前面パネルの形状を示す斜視図、図１６（ｂ）はその断面図である。図において２３は、補強用のリブであって、ベルマウス２のリング部２ａの前縁から、放射状に、側板４，５および上板６、下板７に接続され、リブの高さは、リング部２ａの前縁２ｄと側板４，５、上板６、下板７の前縁を結んだ直線Ｃより前方にはみ出さない高さとなっている。
【００３７】
このような構造としたので、前面パネル３の強度が向上し、室外機自体が頑強になるとともに、圧縮機等の振動伝播による騒音等の発生を低減できる効果がある。また、リブ２３の高さを、ベルマウス２のリング部２ａの前縁２ｄと側板４，５および上板６、下板７の前縁を結んだ直線よりもはみ出さない範囲としたので、吹き出し風を妨げず、低騒音を維持できる。
【００３８】
実施の形態９．
図１７は、この発明の実施の形態９による空気調和機の室外機の概略構成図である。図１７（ａ）に示す室外機は容量の小さい仕様のもので、図１７（ｂ）に示す室外機は図１７（ａ）の２倍程度の容量を有する室外機である。図１７（ｂ）に示す室外機は、プロペラファン１を２個用いる仕様であり、箱状の前面パネル３は図１７（ａ）と同じものを縦に２段重ねた構成となっている。
【００３９】
このような構成としたので、容量の異なる室外機でも、同じ仕様の前面パネル３を使用でき、金型費を節約することができる。
【００４０】
実施の形態１０．
図１８はこの発明の実施の形態１０による空気調和機の室外機の概略構成図である。図において、２４はベルマウス２のリング部２ａの前縁２ｅを含む平面と、前面パネル３の平面部３ａに挟まれた空間であり、２４には電気部品等が収納されている。２５は該空間２４に収納された電気部品等を覆う形状で、前記平面Ｅより前方にはみ出さない位置に設けられた蓋である。
【００４１】
このような構成としたので、室外機内のスペースを有効に利用でき、室外機自体の小形化が図れる。
【００４２】
【発明の効果】
この発明に係る空気調和機の室外機は、本体と、この本体背面側に配設された熱交換器と、この熱交換器と対向して配設されたプロペラファンと、本体の前面を形成する前面パネルと、この前面パネルに連接して設けられ、プロペラファンを囲むベルマウスとを備え、前面パネルは前記ベルマウスを囲む形で、本体内側に延設された案内壁を有すると共に、ベルマウスの吹き出し側開口部が本体前面より内側に位置し、プロペラファンの回転軸を含む平面にプロペラファンの翼弦線中心線を回転投影してできる直線と、プロペラファンの回転軸と直交する直線との成す角度をプロペラファンの前傾角δとした場合、ベルマウスの吹き出し側開口部の前縁と前面パネルの前縁とを結ぶ直線とプロペラファンの回転軸との成す角度は、δ＋２０゜より大きく、６０゜より小さくしたので、熱交換器等の通風抵抗が大きくなり、吹き出し風が外側に拡散した場合でも、ベルマウスを囲む案内壁により本体の側面および上下面への風の回り込みを防ぎ、ショートサーキットが防止できると共に、吸い込み風がスムーズに流れ、騒音を小さくできる。また、通常の通風抵抗の場合は吹き出し風の妨げにならず、通風抵抗が大きい場合にはショートサーキットを防止できる。
【００４４】
この発明に係る空気調和機の室外機は、本体と、この本体背面側に配設された熱交換器と、この熱交換器と対向して配設されたプロペラファンと、このプロペラファンを囲むように設けられ、プロペラファンの外周に形成されたリング部と、室外機前面より奥まった位置にある吹き出し側開口端と、吸い込み側に拡開する吸い込み側開口部とを有するベルマウスと、室外機の前面外郭を形成し、ベルマウスの吸い込み側開口部に連なり、室外機前面より奥まった位置にある平面部と、この平面部に連なり室外機前面より内側に形成された、プロペラファンからの送風の案内して室外機前方へ排出する案内壁とを有する前面パネルとを備え、プロペラファンの回転軸を含む平面にプロペラファンの翼弦線中心線を回転投影してできる直線と、プロペラファンの回転軸と直交する直線との成す角度を前記プロペラファンの前傾角δとした場合、ベルマウスの吹き出し側開口端の前縁と前面パネルの前縁とを結ぶ直線とプロペラファンの回転軸との成す角度は、δ＋２０゜より大きく、６０゜より小さくしたので、熱交換器等の通風抵抗が大きくなり、吹き出し風が外側に拡散した場合でも、ベルマウスを囲む案内壁により本体の側面および上下面への風の回り込みを防ぎ、ショートサーキットが防止できると共に、吸い込み風がスムーズに流れ、騒音を小さくできる。また、通常の通風抵抗の場合は吹き出し風の妨げにならず、通風抵抗が大きい場合にはショートサーキットを防止できる。
【００４５】
また、この発明に係る空気調和機の室外機は、前面パネルの下部案内壁は、本体奥側より前面側へ傾斜している構成にしたので、前面パネルの下部案内壁に水やごみが溜りにくく、汚れを防止できる。
【００４６】
また、この発明に係る空気調和機の室外機は、プロペラファンを駆動する電動機の取り付け用部材を前面パネルに固定したので、プロペラファンとベルマウスの同心度が容易に確保でき、組立性がよい。
【００４７】
また、この発明に係る空気調和機の室外機は、プロペラファンに人間の手等が接触するのを防止するファンガードを、上部は差し込み、下部は固定で前面パネルに取り付けたので、ファンガードの組立性を向上できる。
【００４８】
また、この発明に係る空気調和機の室外機は、ベルマウスの外周と前面パネルの案内壁との間に、放射状に補強リブを設けたので、ベルマウスおよび前面パネルの強度が向上し、振動・騒音を抑制できる。
【００４９】
また、この発明に係る空気調和機の室外機は、複数のプロペラファンを有するものにあっては、同一仕様の前面パネルを重合してなる構成にしたので、部品の共通化が図れる。
【００５０】
また、この発明に係る空気調和機の室外機は、ベルマウスの外周と前面パネルの案内壁等で形成される空間に電気部品等を収納したので、本体内のスペースを有効に利用でき、室外機の小型化ができる。
【図面の簡単な説明】
【図１】  この発明の実施の形態１による空気調和機の室外機の概略構成図である。
【図２】  この発明の実施の形態１による空気調和機の室外機における前面パネルの斜視図である。
【図３】  この発明の実施の形態１による空気調和機の室外機の吹き出し部の拡大図である。
【図４】  この発明の実施の形態２による空気調和機の室外機の吹き出し部の拡大図である。
【図５】  この発明の実施の形態３による空気調和機の室外機における前面パネルの斜視図である。
【図６】  この発明の実施の形態４による空気調和機の室外機の吹き出し部の拡大図である。
【図７】  この発明の実施の形態４による空気調和機の室外機のプロペラファン前傾角の説明図である。
【図８】  この発明の実施の形態４による空気調和機の室外機の吹き出し角度の測定結果を示す図である。
【図９】  この発明の実施の形態４による空気調和機の室外機の送風音の測定結果を示す図である。
【図１０】  この発明の実施の形態４による空気調和機の室外機のショートサーキット率の測定結果を示す図である。
【図１１】  この発明の実施の形態５による空気調和機の室外機の概略構成図である。
【図１２】  この発明の実施の形態６による空気調和機の室外機の概略構成図である。
【図１３】  この発明の実施の形態６による空気調和機の室外機の部分拡大斜視図である。
【図１４】  この発明の実施の形態７による空気調和機の室外機の概略構成図である。
【図１５】  この発明の実施の形態７による空気調和機の室外機の部分拡大斜視図である。
【図１６】  （ａ）この発明の実施の形態８による空気調和機の室外機の前面パネルの斜視図、（ｂ）この発明の実施の形態８による空気調和機の室外機の前面パネルの断面図である。
【図１７】  （ａ）この発明の実施の形態９による空気調和機の室外機の概略構成図（容量小）、（ｂ）この発明の実施の形態９による空気調和機の室外機の概略構成図（容量大）である。
【図１８】  この発明の実施の形態１０による空気調和機の室外機の概略構成図である。
【図１９】  従来の空気調和機の室外機の概略構成図である。
【図２０】  従来の空気調和機の室外機の吹き出し部の拡大図である。
【図２１】  他の従来の空気調和機の室外機のベルマウスの拡大図である。
【符号の説明】
１  プロペラファン、２  ベルマウス、２ｄ  ベルマウスのリング部前縁、３  前面パネル、４，５  側板、６  上板、７  下板、１０  熱交換器、１５  モータの支持部材、２０  ファンガードの上側保持部材、２１  ファンガードの下側保持部材、２２  前面パネル上板の穴、２３  補強リブ、２４  前面パネルの空間、α  前面パネルの側板前縁位置を示す角度、δ  プロペラファンの前傾角、θ  プロペラファンの吹き出し角度。
【図１】
0003638355.tif 000002
【図２】
0003638355.tif 000003
【図３】
0003638355.tif 000004
【図４】
0003638355.tif 000005
【図５】
0003638355.tif 000006
【図６】
0003638355.tif 000007
【図７】
0003638355.tif 000008
【図８】
0003638355.tif 000009
【図９】
0003638355.tif 000010
【図１０】
0003638355.tif 000011
【図１１】
0003638355.tif 000012
【図１２】
0003638355.tif 000013
【図１３】
0003638355.tif 000014
【図１４】
0003638355.tif 000015
【図１５】
0003638355.tif 000016
【図１６】
0003638355.tif 000017
【図１７】
0003638355.tif 000018
【図１８】
0003638355.tif 000019
【図１９】
0003638355.tif 000020
【図２０】
0003638355.tif 000021
【図２１】
0003638355.tif 000022